(57)【要約】【課題】当該ポンプの特に高速回転時の吸い込み不足を解消する。【解決手段】  カバー２あるいは上記ポンプ本体１のいずれか一方あるいは双方に、吸い込み流体を導くための吸い込み流路１１を形成するとともに、この吸い込み流路の開口部分とカムリング４とが相まって形成される吸い込み部１３，１４を備え、この吸い込み部を介して、吸い込み位置にあるベーン間に上記吸い込み流体を導くベーンポンプにおいて、上記カムリング４には、上記吸い込み部１３，１４に対応する部分であって、そのカムリング４の内周側のエッジ部分に、ロータ５の回転方向に連続する凹部１５，１６を設け、この凹部によって、吸い込み部の吸い込み面積を拡大している。【選択図】  図２
2007056684.tif 000002
【特許請求の範囲】
【請求項１】
ポンプ本体にカムリングを組み込み、このカムリングに複数のベーンを放射状に設けたロータを回転自在に組み込み、ポンプ本体の一側をカバーでふさぎ、しかも、このカバーあるいは上記ポンプ本体のいずれか一方あるいは双方に、吸い込み流体を導くための吸い込み流路を形成するとともに、この吸い込み流路の開口部分とカムリングとが相まって形成される吸い込み部を備え、この吸い込み部を介して、吸い込み位置にあるベーン間に上記吸い込み流体を導くベーンポンプにおいて、上記カムリングには、上記吸い込み部に対応する部分であって、そのカムリングの内周側のエッジ部分に、ロータの回転方向に連続する凹部を設け、この凹部によって、吸い込み部の吸い込み面積を拡大したベーンポンプ。
【請求項２】
ロータの回転方向とは反対方向に向かって、上記吸い込み部の軸方向投影面積が小さくなるのに対応して、上記凹部の深さを深くした請求項１記載のベーンポンプ。
【発明の詳細な説明】
【技術分野】
【０００１】
この発明は、ポンプ本体に組み込んだロータに、ベーンを放射状に設けるとともに、このベーンをカムリングに沿って出入させるベーンポンプに関する。
【背景技術】
【０００２】
この種のベーンポンプとして、例えば、特許文献１に記載された発明が従来から知られている。この従来のベーンポンプは、ポンプ本体にカムリングを組み込むとともに、このカムリングにロータを組み込んでいる。このようにカムリングに組み込んだロータには、複数のベーンを放射状に組み込むとともに、ロータの回転にともなって、上記ベーンがカムリングの内周面に沿って出入する。
【０００３】
また、上記ポンプ本体の一側をふさぐカバーには、タンクに連通する吸い込み流路を形成するとともに、この吸い込み流路の開口部分は、上記カムリングと相まって吸い込み部が形成される。このようにして形成された吸い込み部は、上記カムリングの内周の形状がほぼ楕円になっていることもあって、ロータの回転方向とは反対方向に向かって、その開度が徐々に小さくなっていく。
【特許文献１】特開２００１−２８０２６３号公報
【発明の開示】
【発明が解決しようとする課題】
【０００４】
上記のようにした従来のベーンポンプでは、吸い込み部がロータの回転方向とは反対方向に向かって、その開度が徐々に小さくなるので、吸い込み部の全領域において十分な開度が確保できない。特に、吸い込み部の軸方向投影面積が小さくなる側での開度の減少が著しくなる。そのため、ベーンポンプの高回転時には、吸い込み不足が発生するとともに、その吸い込み不足が原因で、キャビテーションが発生していた。このようにキャビテーションが発生するので、従来のベーンポンプでは、騒音が発生したり、耐久性が悪化したりする問題があった。
【０００５】
この発明の目的は、吸い込み不足が発生しないベーンポンプを提供することである。
【課題を解決するための手段】
【０００６】
この発明は、ポンプ本体にカムリングを組み込み、このカムリングに複数のベーンを放射状に設けたロータを回転自在に組み込み、ポンプ本体の一側をカバーでふさぎ、しかも、このカバーあるいは上記ポンプ本体のいずれか一方に、吸い込み流体を導くための吸い込み流路を形成するとともに、この吸い込み流路の開口部分とカムリングとが相まって形成される吸い込み部を備え、この吸い込み部を介して、吸い込み位置にあるベーンベーン間に上記吸い込み流体を導くベーンポンプを前提にする。そして、このベーンポンプを前提にしながら、第１の発明は、上記カムリングには、上記吸い込み部に対応する部分であって、そのカムリングの内周側のエッジ部分に、ロータの回転方向に連続する凹部を設け、この凹部によって、吸い込み部の吸い込み面積を拡大した点に特徴を有する。
【０００７】
第２の発明は、ロータの回転方向とは反対方向に向かって、上記吸い込み部の投影面積が小さくなるのに対応して、上記凹部の深さを深くした点に特徴を有する。
【発明の効果】
【０００８】
第１の発明によれば、カムリングの内周のエッジ部分に凹部を形成したので、この凹部によって、吸い込み部の実質的な開度を拡大することができる。このように吸い込み部の実質的な開度が拡大されるので、この発明のベーンポンプには、吸い込み不足およびそれにともなういろいろな問題が発生しない。
【０００９】
第２の発明によれば、ロータの回転方向とは反対方向に向かって、上記吸い込み部の投影面積が小さくなるのに対応して、上記凹部の深さを深くしたので、本来なら吸い込み部の開度が小さくなる部分において、その開度を積極的に拡大できる。したがって、吸い込み部の全領域において十分な開口面積を保つことができ、吸い込み量をより効果的に確保することができる。
【発明を実施するための最良の形態】
【００１０】
図示の実施形態は、ポンプ本体１とカバー２とを備え、ポンプ本体１のボア３にはカムリング４を組み込み、このカムリング４にロータ５を組み入れている。このロータ５は駆動軸６に連係して、その駆動軸６と一体回転する構成にしている。また、このロータ５には、複数のベーン溝７を放射状に形成するとともに、このベーン溝７にベーン８を出入自在に組み入れている。このようにしたベーン溝７の底部には背圧導入部９を設けているが、この背圧導入部９はロータ５の軸線方向に貫通させている。
【００１１】
さらに、上記ボア３内には、カムリング４およびロータ５の側面にサイドプレート１０を組み込んでいるが、このサイドプレート１９は、カムリング４およびロータ５の側面をシールするとともに、高負荷時のポンプ効率の低下を抑えるためにベーン８側へのプレッシャーローディング機能を発揮する。一方、このサイドプレート１０とは反対側であるボア３の開口をカバー２でふさいでいる。このようにしたカバー２には、吸い込み流路１１を形成しているが、この吸い込み流路１１の上流側は、ポンプ本体１に形成した吸い込みポート１２に連通している。このようにした吸い込み流路１１は、下流に向かって２つの流路に分岐し、それぞれの開口部１１ａおよび１１ｂを、図２に示すように、当該ポンプの吸い込み位置に対応させている。
【００１２】
なお、上記吸い込み位置とは、ロータ５の回転過程で、吐出行程に移る手前であって、ベーン８がロータ５から突出して、ベーン８間の容積を拡大し始めてから、その容積が最大になるまでの位置を言う。そして、この吸い込み位置側において、上記開口部１１ａおよび１１ｂが開口するが、このとき、カムリング４によってその開口部１１ａおよび１１ｂの一部が閉ざされてしまう。したがって、図２に示すように、開口部１１ａおよび１１ｂの一部が、上記吸い込み位置に実質的に開口することになる。そして、この実質的に開口した部分を、カムリング４と開口部１１ａ，１１ｂとが相まって形成される吸い込み部１３，１４としている。このようにして形成された吸い込み部１３，１４は、カムリング４の内周形状との関係で、ロータの回転方向とは反対方向に向かって、その軸方向投影面積が徐々に小さくなる。
【００１３】
一方、上記吸い込み部１３，１４に対応する部分で、かつ、カムリング４の両側面における内周側のエッジ部分に、図２，３に示したように、ロータ５の回転方向に連続する凹部１５，１６を設けている。この凹部１５，１６は、ロータの回転方向とは反対方向に向かって、上記吸い込み部１３，１４の軸方向投影面積が小さくなるのに対応して、上記凹部１５，１６の幅を大きくしつつ、深さも深くしている。このように凹部１５，１６を形成することによって、吸い込み部１３，１４の吸い込み面積を実質的に拡大し、吸い込み部１３，１４における十分な吸い込み面積を確保している。
【００１４】
今、駆動軸６が回転すると、それにともなってロータ５が回転するが、このときロータ５のベーン溝７に組み込んだベーン８の先端が、カムリング４の内周面に沿って移動することになる。このようにベーン８の先端がカムリング４の内周に沿って移動すれば、ベーン８はカムリング４の内周面の形状に合わせてベーン溝７内を出入するが、例えば、前記した吸い込み行程では、ベーン８がロータ５のベーン溝７から突出して、ベーン８間の容積を拡大する。そして、上記吸い込み行程とは、上記容積の拡大過程で、吸い込み部１３，１４から作動流体を吸い込み始めてから、その容積が最大になるまでの位置を言う。
【００１５】
そして、上記吸い込み部１３，１４に対応した位置に、凹部１５，１６が形成されているので、上記ベーン８間に対しては、この凹部１５，１６によって、吸い込み部１３，１４が実質的に拡大されたことになる。したがって、前記した従来のように、吸い込み不足など発生しない。
【００１６】
上記のように、この実施形態では、凹部１５，１６を形成したので、その凹部１５，１６によって、吸い込み部１３，１４の開度を実質的に拡大できる。このように吸い込み部１３，１４の開度を実質的に拡大できるので、特に、当該ポンプの高速回転時における吸い込み不足を解消できる。したがって、吸い込み不足が原因で発生するキャビテーションを防止できるとともに、キャビテーションにともなう騒音の発生や耐久性の悪化も防ぐことができる。
【００１７】
さらに、この実施形態によれば、凹部１５，１６が、ロータの回転方向とは反対方向に向かって、上記吸い込み部１３，１４の軸方向投影面積が小さくなるのに対応して幅を大きくしつつ、その深さも深くしているので、特に、吸い込み部１３，１４の全領域における十分な吸い込み面積を確保でき、吸い込み不足を防止する効果は、さらに大きくなる。
【図面の簡単な説明】
【００１８】
【図１】この発明の実施形態であるベーンポンプの断面図である。
【図２】上記ベーンポンプにおけるカバーの側面図であって、その側面にカムリングを添えた図である。
【図３】凹部を形成した部分を拡大したカムリングの部分正面図である。
【符号の説明】
【００１９】
１        ポンプ
２        カバー
４        カムリング
５        ロータ
８        ベーン
１１        吸い込み流路
１３，１４  吸い込み部
１５，１６  凹部
【図１】
2007056684.tif 000003
【図２】
2007056684.tif 000004
【図３】
2007056684.tif 000005